(57)【要約】【課題】交換も可能な上に、客が商品のディジタルコンテンツ情報を再生して楽しむことができ、しかも使用後の交換を防ぐことで信頼性の高い分離型景品を提供することにある。【解決手段】分離型景品１は、音楽、ゲーム、動画等のディジタルコンテンツ情報を記録する商品部２を景品ベース３に切り取り可能に備えるとともに、景品ベース３に商品部２に関する流通管理情報を記録するＲＦ型の情報記録部４を備え、商品部２を景品ベース３から切り離したときに、情報記録部４のアンテナ線４０ａを切断して、情報記録部４に記録した流通管理情報を読み出し不可能にするようになっている。【選択図】図１
2008114040.tif 000002
【特許請求の範囲】
【請求項１】
ディジタルコンテンツ情報を記録する記録媒体からなる商品部と、当該商品部を使用不可能な形で保持する景品ベースと、前記商品部の流通管理情報を記録する情報記録部とを備え、前記商品部を使用可能とする操作を行う過程で、前記流通管理情報を読み出し不可能に前記情報記録部の一部が使用不可になることを特徴とする分離型景品。
【請求項２】
前記景品ベースには、前記商品部が取り外し可能に保持され、
前記商品部を使用可能とする操作は、前記商品部を前記景品ベースから取り外す操作を含み、前記商品部を前記景品ベースから取り外す操作を行ったときに、前記流通管理情報を読み出し不可能に前記情報記録部の一部が使用不可になることを特徴とする請求項１記載の分離型景品。
【請求項３】
前記景品ベースには、前記商品部が、前記ディジタルコンテンツ情報読み出し不可とする被蔽部材により被蔽した状態で保持され、
前記商品部を使用可能とする操作は、前記被蔽部材を取り外す操作を含み、前記被蔽部材を取り外す操作を行ったときに、前記流通管理情報を読み出し不可能に前記情報記録部の一部が使用不可になることを特徴とする請求項１記載の分離型景品。
【請求項４】
前記情報記憶部は、ＲＦ型のタグ及び送受信用のアンテナにより構成され、前記商品部を使用可能とする操作を行う過程で前記アンテナの一部が切断されることを特徴とする請求項１〜３のうちいずれか１項記載の分離型景品。
【請求項５】
前記情報記録部は、前記商品部上に設けたＲＦ型のタグ及び送受信用のアンテナにより構成され、前記商品部を使用可能とする操作を行う過程で前記アンテナから前記タグが分離されることを特徴とする請求項１〜３のうちいずれか１項記載の分離型景品。
【請求項６】
前記景品ベースは、前記商品部を取り付け可能且つ取り外し可能に備え、
前記情報記録部は、前記商品部が前記景品ベースから取り付けられているか否かを判別する判別手段と、前記情報記録部の動作モードを流通管理情報の読み出しを許可する第１の動作モードと流通管理情報の読み出しを許可しない第２の動作モードとのいずれかに切り替える動作モード切り替え手段とを備え、
前記動作モード切り替え手段は、前記判別手段によって前記商品部が前記景品ベースに取り付けられていると判別されている間は、動作モードを第１の動作モードに設定し、判別手段によって前記商品部が前記景品ベースに取り付けられていないと判別されると、動作モードを第１の動作モードから第２の動作モードに切り替え、第２の動作モードに切り替えられると、前記判別手段によって前記商品部が前記景品ベースに取り付けられていると判別されても動作モードを切り替えないことを特徴とする請求項２記載の分離型景品。
【請求項７】
前記動作モード切り替え手段は、外部装置のリセット信号が入力されると、動作モードを第２の動作モードから第１の動作モードに切り替えることを特徴とする請求項６記載の分離型景品。
【請求項８】
前記情報記録部は、ＲＦ型のタグ及び送受信用のアンテナからなる回路部と、当該回路部が接着された基板とを備え、
前記商品部は、少なくとも前記基板から剥離されると前記情報記録部が使用不可となる前記回路部の一部に当該一部と前記基板との接着強度よりも強い接着強度で接着されていることを特徴とする請求項２記載の分離型景品。
【請求項９】
前記景品ベースの厚み方向の一面側には、前記商品部が前記景品ベースから取り外し可能な形に配置され、
前記商品部における前記景品ベース側との反対側には、前記情報記録部が前記商品部を覆う形に配置され、
前記基板は、前記厚み方向で前記商品部と重なる部位からなり前記商品部を前記景品ベースから取り外す際に除去される除去部を有し、前記回路部は前記除去部及び前記除去部を除く前記基板の部位の両方に亘る形に形成されていることを特徴とする請求項８記載の分離型景品。
【発明の詳細な説明】
【技術分野】
【０００１】
本発明は、遊技ホール等において発行される交換可能な分離型景品に関するものである。
【背景技術】
【０００２】
遊技ホール（遊技場）等で客が獲得した遊技球や遊技メダル等の遊技媒体と交換される景品として、景品交換所で商品等に交換してもらうことが可能な分離型景品がある。分離型景品としては、従来から墨や、文鎮、ライター石等の商品（物品）が用いられている。
【０００３】
近年では、景品交換所での交換の際の処理時間の短縮化や、分離型景品の偽造を防止するために、分離型景品自体の情報に固有な識別情報を含む固有識別情報を記憶したＲＦ型のタグを送受信用アンテナとともに付設した分離型景品が提案されている（例えば、特許文献１参照）。
【特許文献１】特開２００２−３２０７６１号公報（段落〔０００９〕〜〔００１０〕、及び図１参照）
【発明の開示】
【発明が解決しようとする課題】
【０００４】
ところで、上述の特許文献１に開示されている分離型景品は、貴金属板と、送受信用アンテナを含むタグと、貴金属板およびタグが収納されたケース（景品ベース）とで構成されている。特許文献１の分離型景品において商品として貴金属板は、金銭的な価値はあるものの有用性は低い。つまり、特許文献１の分離型景品では、景品交換所における商品等との交換以外の用途が考慮されていなかった。
【０００５】
これに対して、近年では、客が分離型景品を景品交換所にて交換せずに使用する場合もあり得る程度に有用性が高い商品を用いた分離型景品も提供されるようになってきている。
【０００６】
このような分離型景品は、商品が未使用状態であるものが、景品交換所における交換対象となるが、特許文献１のように単に商品をケースに収納しているだけでは、ケースから商品を取り出して使用しても、商品をケースに戻すことで商品が未使用であると偽装し易く、使用後（使用済み）の分離型景品であるにもかかわらず、未使用の分離型景品であるとして景品交換所で交換してしまうおそれがあった。
【０００７】
本発明は上述の点に鑑みて為されたもので、その目的は、ディジタルコンテンツ情報を記録した記録媒体からなる商品を組み込むことで、交換も可能な上に、客が商品のディジタルコンテンツ情報を再生して楽しむことができ、しかも使用後の交換を防ぐことで信頼性の高い分離型景品を提供することにある。
【課題を解決するための手段】
【０００８】
上述の目的を達成するために、請求項１の発明では、ディジタルコンテンツ情報を記録する記録媒体からなる商品部と、当該商品部を使用不可能な形で保持する景品ベースと、前記商品部の流通管理情報を記録する情報記録部とを備え、前記商品部を使用可能とする操作を行う過程で、前記流通管理情報を読み出し不可能に前記情報記録部の一部が使用不可になることを特徴とする。
【０００９】
請求項１の発明によれば、商品部にはディジタルコンテンツ情報が記録されているので、商品部を使用可能とすることにより、客が商品部に記録されているディジタルコンテンツ情報を再生して楽しむことができる。また、客が商品部を使用可能とする操作を行う過程で、情報記録部の流通管理情報の読み出しが不可能になるので、景品交換所では、流通管理情報の読み出しが行えるか否かによって、分離型景品の商品部が使用されたか否かを判別できるから、使用後（使用済み）の分離型景品の交換（不当な交換）を防止することができ、信頼性を高めることができる。さらに、情報記録部の流通管理情報によって、偽造景品や、景品流通の管理等も行うことができる。
【００１０】
請求項２の発明では、請求項１の発明において、前記景品ベースには、前記商品部が取り外し可能に保持され、前記商品部を使用可能とする操作は、前記商品部を前記景品ベースから取り外す操作を含み、前記商品部を前記景品ベースから取り外す操作を行ったときに、前記流通管理情報を読み出し不可能に前記情報記録部の一部が使用不可になることを特徴とする。
【００１１】
請求項２の発明によれば、商品部にはディジタルコンテンツ情報が記録されているので、景品ベースから商品部を取り外すことにより、客が商品部に記録されているディジタルコンテンツ情報を再生して楽しむことができる。また、客が商品部を景品ベースから取り外すと、情報記録部の流通管理情報の読み出しが不可能になるので、一旦景品ベースから取り外した商品部を景品ベースに戻した（取り付けた）分離型景品を景品交換所において商品等と交換しようとしても、景品交換所では、流通管理情報の読み出しが行えるか否かによって、分離型景品の商品部が使用されたか否かを判別できるから、使用後（使用済み）の分離型景品の交換（不当な交換）を防止することができ、信頼性を高めることができる。
【００１２】
請求項３の発明では、請求項１の発明において、前記景品ベースには、前記商品部が、前記ディジタルコンテンツ情報読み出し不可とする被蔽部材により被蔽した状態で保持され、前記商品部を使用可能とする操作は、前記被蔽部材を取り外す操作を含み、前記被蔽部材を取り外す操作を行ったときに、前記流通管理情報を読み出し不可能に前記情報記録部の一部が使用不可になることを特徴とする。
【００１３】
請求項３の発明によれば、商品部にはディジタルコンテンツ情報が記録されているので、被蔽部材を取り外すことにより、客が商品部に記録されているディジタルコンテンツ情報を再生して楽しむことができる。また、客が被蔽部材を取り外すと、情報記録部の流通管理情報の読み出しが不可能になるので、被蔽部材を取り外した後に商品部を被蔽部材で再び被蔽した分離型景品を景品交換所において商品等と交換しようとしても、景品交換所では、流通管理情報の読み出しが行えるか否かによって、分離型景品の商品部が使用されたか否かを判別できるから、使用後（使用済み）の分離型景品の交換（不当な交換）を防止することができ、信頼性を高めることができる。
【００１４】
請求項４の発明では、請求項１〜３のうちいずれか１項の発明において、前記情報記憶部は、ＲＦ型のタグ及び送受信用のアンテナにより構成され、前記商品部を使用可能とする操作を行う過程で前記アンテナの一部が切断されることを特徴とする。
【００１５】
請求項４の発明によれば、情報記録部をＲＦ型のタグにより構成することで、分離型景品の流通段階での流通管理情報の読み取りを非接触で行うことができるので、例えば、景品の交換等においてスムーズな処理が行え、しかも商品部を使用可能とする操作を行う過程で情報記憶部の送受信用のアンテナの一部が切断されて、情報記録部の流通管理情報の読み出しが不可能になるので、景品交換所では、流通管理情報の読み出しが行えるか否かによって、分離型景品の商品部が使用されたか否かを判別できるから、使用後（使用済み）の分離型景品の交換（不当な交換）を防止することができ、信頼性を高めることができる。
【００１６】
請求項５の発明では、請求項１〜３のうちいずれか１項の発明において、前記情報記録部は、前記商品部上に設けたＲＦ型のタグ及び送受信用のアンテナにより構成され、前記商品部を使用可能とする操作を行う過程で前記アンテナから前記タグが分離されることを特徴とする。
【００１７】
請求項５の発明によれば、情報記録部をＲＦ型のタグにより構成することで、分離型景品の流通段階での流通管理情報の読み取りを非接触で行うことができるので、例えば、景品の交換等においてスムーズな処理が行え、しかも商品部を使用可能とする操作を行う過程で情報記憶部のタグとアンテナとが分離されて、情報記録部の流通管理情報の読み出しが不可能になるので、景品交換所では、流通管理情報の読み出しが行えるか否かによって、分離型景品の商品部が使用されたか否かを判別できるから、使用後（使用済み）の分離型景品の交換（不当な交換）を防止することができ、信頼性を高めることができる。
【００１８】
請求項６の発明では、請求項２の発明において、前記景品ベースは、前記商品部を取り付け可能且つ取り外し可能に備え、前記情報記録部は、前記商品部が前記景品ベースから取り付けられているか否かを判別する判別手段と、前記情報記録部の動作モードを流通管理情報の読み出しを許可する第１の動作モードと流通管理情報の読み出しを許可しない第２の動作モードとのいずれかに切り替える動作モード切り替え手段とを備え、前記動作モード切り替え手段は、前記判別手段によって前記商品部が前記景品ベースに取り付けられていると判別されている間は、動作モードを第１の動作モードに設定し、判別手段によって前記商品部が前記景品ベースに取り付けられていないと判別されると、動作モードを第１の動作モードから第２の動作モードに切り替え、第２の動作モードに切り替えられると、前記判別手段によって前記商品部が前記景品ベースに取り付けられていると判別されても動作モードを切り替えないことを特徴とする。
【００１９】
請求項６の発明によれば、商品部を景品ベースから取り外す際に、情報記録部のアンテナを断線させたり、アンテナとタグとを分離させたりすることで、情報記録部を破損させて、情報記録部を物理的に使用不可能としなくて済むから、分離型景品の再利用が容易に行えるようになる。
【００２０】
請求項７の発明では、請求項６の発明において、前記動作モード切り替え手段は、外部装置のリセット信号が入力されると、動作モードを第２の動作モードから第１の動作モードに切り替えることを特徴とする。
【００２１】
請求項７の発明によれば、外部装置のリセット信号を情報記録部に入力することで、分離型景品の再生処理を行えるから、再生処理のさらなる容易化が図れる。
【００２２】
請求項８の発明では、請求項２の発明において、前記情報記録部は、ＲＦ型のタグ及び送受信用のアンテナからなる回路部と、当該回路部が接着された基板とを備え、前記商品部は、少なくとも前記基板から剥離されると前記情報記録部が使用不可となる前記回路部の一部に当該一部と前記基板との接着強度よりも強い接着強度で接着されていることを特徴とする。
【００２３】
請求項８の発明によれば、基板から剥離された際に情報記録部が使用不可となる回路部の一部が商品部に当該一部と基板との接着強度よりも強い接着強度で接着されているので、ディジタルコンテンツ情報を読み出すために商品部を情報記録部から剥離する際に、回路部の一部が商品部とともに情報記録部の基板から剥離され、情報記録部が使用不可となるから、正規の取り出し方法に限らずそれ以外の方法で商品部を景品ベースから取り外した場合であっても、商品部を使用した（ディジタルコンテンツ情報を読み出し可能とした）時点で、情報記録部を使用不可とすることができ、使用後（使用済み）の分離型景品の交換（不当な交換）の防止が図れる。
【００２４】
請求項９の発明では、請求項８の発明において、前記景品ベースの厚み方向の一面側には、前記商品部が前記景品ベースから取り外し可能な形に配置され、前記商品部における前記景品ベース側との反対側には、前記情報記録部が前記商品部を覆う形に配置され、前記基板は、前記厚み方向で前記商品部と重なる部位からなり前記商品部を前記景品ベースから取り外す際に除去される除去部を有し、前記回路部は前記除去部及び前記除去部を除く前記基板の部位の両方に亘る形に形成されていることを特徴とする。
【００２５】
請求項９の発明によれば、商品部を景品ベースから取り外すにあたって、基板の除去部を除去した場合には、回路部が除去部及び除去部を除く基板の部位の両方に亘る形に形成されているために回路部が分断され、情報記録部が使用不可となるから、流通管理情報を読み出すことができなくなり、使用後（使用済み）の分離型景品の交換（不当な交換）の防止が図れる。一方、景品ベースの一部を切断等して、基板の除去部を除去するという正規の取り出し方法以外の方法で商品部を景品ベースから取り外そうとしても、商品部を景品ベースから取り外すには、商品部を情報記録部から剥離する必要があり、商品部を情報記録部から剥離すると回路部の一部が商品部とともに情報記録部の基板から剥離されて情報記録部が使用不可となるから、流通管理情報を読み出すことができなくなって、正規の取り出し方法以外の方法で商品部を景品ベースから取り外した場合であっても、情報記録部を使用不可とすることができて、使用後の分離型景品の交換の防止が図れる。
【発明の効果】
【００２６】
本発明は、ディジタルコンテンツ情報を記録した記録媒体からなる商品を組み込むことで、交換も可能な上に、客が商品のディジタルコンテンツ情報を再生して楽しむことができ、しかも使用後の交換を防ぐことができるという効果を奏する。
【発明を実施するための最良の形態】
【００２７】
（実施形態１）
本実施形態の分離型景品１は、遊技場や遊技ホール等において、遊技球や、遊技メダル、遊技カードなどの遊技媒体と交換される景品であって、図１（ａ），（ｂ）に示すように、ディジタルコンテンツ情報（単にディジタルコンテンツともいう）を記録する記録媒体からなる商品部２と、商品部２を使用不可能な形で保持するホルダである景品ベース３と、商品部２の流通管理情報を記録する情報記録部４とを備えている。
【００２８】
景品ベース３は、合成樹脂により、例えばクレジットカードサイズ（一例を挙げれば、約８６ｍｍ×約５４ｍｍ）の矩形板状に形成されている。この景品ベース３には、ディジタルコンテンツが記録される（書き込まれる）半導体メモリを有するＩＣチップ（図示せず）が埋設されており、当該ＩＣチップが埋設された景品ベース３の部位により商品部２を形成している。そして、景品ベース３には、景品ベース３を厚み方向（図１（ａ）における紙面の法線方向）に貫通する長孔状の分離用孔部３ａが、商品部２を囲繞するように複数形成され、複数の分離用孔部３ａを利用して景品ベース３の一部を切断することによって（図１（ａ）に点線Ｐで示す形に切断することによって）、商品部２を景品ベース３から容易に切り離す（取り外す）ことができるようになっている。つまり、景品ベース３は、商品部２を切り離し（取り外し）可能な形で一体に備えており、商品部２が景品ベース３に一体に備えられ（保持され）ている状態では、商品部２を使用することができないようになっている。
【００２９】
商品部２は、景品ベース３の一部分に前記ＩＣチップを埋設してなるＩＣカードからなる記憶媒体であって、図１（ａ）に示すように、厚み方向の一面側（前記一部における分離型景品１の厚み方向の一面側であって、図１（ａ）における紙面手前側）に、端子部２ａが露設されている。端子部２ａは、前記ＩＣチップにディジタルコンテンツを書き込むための情報入力端子や前記ＩＣチップからディジタルコンテンツを読み出すための情報出力端子等を有したものであり、例えば、ＳＩＭカード（Subscriber Identity Module Card）の規格に準じた形に形成されている。また、商品部２は、ＳＩＭカードサイズ（一例を挙げれば、約１５ｍｍ×約２５ｍｍ）の矩形板状に形成され、これによって、ＳＩＭカードに対応するカードスロット等を備えた読み取り装置（図示せず）によりディジタルコンテンツを読み出すことができるようになっている。ところで、前記ディジタルコンテンツは、例えば、音楽や、画像（静止画像、動画像）、ゲームソフト等であり、商品部２には、分離型景品１の交換に必要な遊技球や遊技メダル等の数に見合った価値があるディジタルコンテンツが書き込まれる。
【００３０】
情報記録部４は、図１（ａ）に示すように、送受信用のアンテナ４０と、流通管理情報が記録されたタグ４１とを備えている。
【００３１】
アンテナ４０は、図示しないリーダ／ライタ装置（或いはリーダ装置や、ライタ装置）が送信する無線信号の受信或いはリーダ／ライタ装置への無線信号の送信を行うためのものであって、導電性インク（導電性インキ、導電インクともいう）よりなるアンテナ線４０ａを有しており、アンテナ線４０ａは、景品ベース３の上記一面に、景品ベース３の外縁部に沿って周回するとともに、商品部２を横切る（商品部２上を通過する）形に形成されている。アンテナ４０は、所定周波数の無線信号の送受信が行えるように構成されている。ここで、前記所定周波数は、短波帯（例えば、１３．５６ＭＨｚ）や、ＵＨＦ帯（例えば、９５３ＭＨｚ）、マイクロ波帯（例えば、２．４５ＧＨｚ）、長波帯（例えば、１３５ＫＨｚ）等である。なお、前記導電性インクとしては、銀ペーストや、銅ペースト、カーボンペースト等の導電性ペースト、或いは複数種の導電性ペーストを混合したものを用いている。また、アンテナ４０は、導電性ペーストよりなる導電層を厚み方向に複数重ねた形のものであってもよい。
【００３２】
タグ４１は、例えば、流通管理情報が記録される半導体メモリ（図示せず）、アンテナ４０で受信した無線信号の復調等を行う受信回路（図示せず）、アンテナ４０により無線信号を送信するための変調等を行う送信回路（図示せず）、及びこれらの制御を行う制御回路（図示せず）などを備えたＩＣチップからなり、リーダ／ライタ装置の情報書き込み信号をアンテナ４０で受信した際にリーダ／ライタ装置が送信する流通管理情報を半導体メモリに記録する書き込み手段と、アンテナ４０でリーダ装置の情報読み出し信号を受信した際に半導体メモリに記録されている流通管理情報をアンテナ４０に送信させる読み出し手段とを有している。これらの手段はソフトウェア等により実現されている。また、タグ４１は、景品ベース３における商品部２以外の部位に埋設され、アンテナ４０の接続線４０ｂによって、アンテナ線４０ａと電気的に接続され、これによって、タグ４１とリーダ／ライタ装置とで通信が行えるようになっている。ここで、タグ４１のＩＣチップとしては、電源（電池）を内蔵していないものを利用しており、そのため、情報記録部４は、リーダ／ライタ装置が送信する無線信号により電力が供給されたときに、上述の動作を行うようになっている。
【００３３】
ここで、流通管理情報は、例えば、分離型景品１を交換した遊技場などのＩＤ情報や、分離型景品１の交換日、分離型景品１の景品としての価値等、分離型景品１の商品部２に対応した流通管理に必要な情報が用いられる。したがって、景品交換所においてこのような流通管理情報をタグ４１より読み出すことで、分離型景品１の真贋や、交換の有効期間、交換レート等の決定が行うことができる。
【００３４】
つまり、本実施形態における情報記録部４は、誘導電磁界又は電波によって、非接触で半導体メモリのデータを読み出し又は書き込みのための近距離通信を行うＲＦＩＤ（Radio Frequency Identification）タグ（ＲＦタグともいう）のインレットであって、タグ（ＲＦ型のタグ）４１用の電源（電池）を内蔵してないパッシブ型ＲＦＩＤタグ（受動型ＲＦタグ）である。
【００３５】
景品ベース３には、図１（ａ），（ｂ）に示すように、景品ベース３の上記一面側を覆う透明もしくは不透明のフィルム状のサーマルリライト層（以下、「リライト層」と略す）５からなるカバーが設けられている。但し、リライト層５は、少なくとも商品部２の端子部２ａ及び分利用孔部３ａは露出する形に形成されている。このようなリライト層５は、熱転写によってその表面に書き換え自在に印字できるものであるから、分離型景品１のラベルとして用いられる。例えば、リライト層５に遊技場や遊技ホールの名称などの各種情報を印字すれば、分離型景品１の表面に、必要な情報等を表示することができ、その結果、流通管理情報を確認しなくても分離型景品１の種類分け等が可能となり、作業が行いやすくなる。
【００３６】
以上述べた分離型景品１は、図１（ａ）に示すように、商品部２が景品ベース３に一体的に備えられている状態では、上述したようにリーダ／ライタ装置により情報記録部４から流通管理情報を読み出すことができるようになっている。
【００３７】
ところで、本実施形態の分離型景品１では、商品部２が景品ベース３に一体的に備えられており、この状態では商品部２を使用する（商品部２からディジタルコンテンツを読み出す）ことができないため、商品部２を使用可能とする操作、すなわち商品部２を景品ベース３から取り外す（切り離す）操作を行う必要がある。
【００３８】
ここで、アンテナ線４０ａは図１（ａ）に示すように景品ベース３の上記一面に商品部２を横切る形に形成されているので、商品部２を景品ベース３から切り離したときには、アンテナ線４０ａの一部が商品部２とともに切り離されて、アンテナ線４０ａが断線した（切断された）状態となる、つまり、情報記録部４が破損した状態となるから、情報記録部４はリーダ／ライタ装置と通信することができなくなる（つまり、流通管理情報を読み出すことができない）。
【００３９】
また、商品部２が景品ベース３に対する所定位置に位置する（商品部２を景品ベース３から切り離す前の状態となる）ように商品部２を景品ベース３に取り付けたとしても、商品部２とともに切り離されたアンテナ線４０ａの一部と、景品ベース３側のアンテナ線４０ａとは接合されないので、情報記録部４が破損した状態であることには代わりがなく、リーダ／ライタ装置により情報記録部４から流通管理情報を読み出すことができない。
【００４０】
つまり、商品部２を景品ベース３から切り離すと、商品部２を元に戻したとしても、リーダ／ライタ装置により情報記録部４から流通管理情報を読み出すことはできない。
【００４１】
したがって、リーダ／ライタ装置により分離型景品１から流通管理情報を読み出すことができるか否かによって、商品部２が使用されたか否かを判別することができる。具体的には、流通管理情報を読み出すことができれば、分離型景品１の商品部２は未使用であると判別し、流通管理情報を読み出すことができなければ、分離型景品１の商品部２は使用済みであると判別する。
【００４２】
そして、景品交換所では、商品部２が未使用の分離型景品１については交換に応じればよく、商品部２が使用済みの分離型景品１については交換を拒否すればよい。
【００４３】
以上述べたように本実施形態の分離型景品１は、ディジタルコンテンツを記録する記録媒体からなる商品部２を景品ベース３に取り外し可能に備えるとともに、タグ４１及び送受信用のアンテナ４０により構成され商品部２の流通管理情報を記録する情報記録部４を景品ベース３に備えており、商品部２を使用可能とする操作を行う過程において、商品部２を景品ベース３から取り外したときに（商品部２の取り外し時に）、アンテナ４０の一部が切断されることによって、流通管理情報を読み出し不可能に情報記録部４の一部であるアンテナ４０が使用不可になる。
【００４４】
したがって、本実施形態の分離型景品１によれば、商品部２にはディジタルコンテンツが記録されているので、景品ベース３から商品部２を取り外すことにより、客が商品部２に記録されているディジタルコンテンツを再生して楽しむことができる。また、客が商品部２を景品ベース３から取り外すと、情報記録部４の流通管理情報の読み出しが不可能になるので、一旦景品ベース３から取り外した商品部２を景品ベース３に戻した（取り付けた）分離型景品１を景品交換所において商品等と交換しようとしても、景品交換所では、流通管理情報の読み出しが行えるか否かによって、分離型景品１の商品部２が使用されたか否かを判別できるから、使用後（使用済み）の分離型景品の交換（不当な交換）を防止することができ、信頼性を高めることができる。さらに、情報記録部４の流通管理情報によって、偽造景品や、景品流通の管理等も行うことができる。
【００４５】
ところで、本実施形態における情報記録部４は、上述したように、電池を内蔵していないパッシブ型ＲＦＩＤタグであるが、電池を内蔵したアクティブ型ＲＦＩＤタグ（能動型ＲＦタグ）や、セミアクティブ型ＲＦＩＤタグであってもよい。この点は後述する実施形態２〜８においても同様である。
【００４６】
なお、本実施形態における商品部２は、ＳＩＭカードの規格に準じた形に形成されているが、その他のＩＣカード（一般に広く利用さている汎用のＩＣカードのほうが好ましい）の規格に準じた形に形成されていてもよい。要するに商品部２は、ディジタルコンテンツを記録する記録媒体であればよく、どのような記録媒体を利用するかは、状況に応じて選択すればよい。また、本実施形態の分離型景品１はあくまでも一例であって、これに限定する趣旨ではなく、本発明の趣旨を逸脱しない程度に変更してもよい。これらの点は後述する実施形態２〜９においても同様である。
【００４７】
また、リライト層５によって商品部２の端子部２ａを被蔽するようにしてもよい。この場合、リライト層５において端子部２ａを覆う部位が、ディジタルコンテンツ情報読み出し不可とする被蔽部材となる。すなわち、景品ベース３には、商品部２が取り外し可能で、且つディジタルコンテンツ情報読み出し不可とする被蔽部材により被蔽した状態で保持される。そして、商品部２を使用可能とする操作は、前記被蔽部材を取り外す操作と、商品部２を景品ベース３から取り外す操作とを含み、商品部２を景品ベース３から取り外す操作を行ったときに、流通管理情報を読み出し不可能に情報記録部４の一部であるアンテナ４０が使用不可になる。そのため、このような場合であっても、図１（ａ），（ｂ）に示す分離型景品１と同様の効果が得られる。
【００４８】
（実施形態２）
本実施形態の分離型景品１は、商品部２、景品ベース３、及び情報記録部４の構成が実施形態１と異なっており、その他の構成は実施形態１と同様であるから、同様の構成については同一の符合を付して説明を省略する。
【００４９】
本実施形態における商品部２のＩＣチップは、タグ４１のＩＣチップの機能も有している。そのため、本実施形態における景品ベース３には、図２に示すように、タグ４１が埋設されていない。また、商品部２の端子部２ａには、アンテナ４との接続用のアンテナ端子（図示せず）が新たに設けられている。
【００５０】
本実施形態における情報記録部４のアンテナ線４０ａは、景品ベース３の上記一面に、景品ベース３の外縁部に沿って周回するとともに、商品部２の端子部２ａの上記アンテナ端子上を通過する形で、商品部２を横切るように形成され、これによって、商品部２のＩＣチップがアンテナ４０に電気的に接続されて、当該ＩＣチップとアンテナ４０によって、情報記録部４が構成されている。
【００５１】
以上述べた分離型景品１は、図２に示すように、商品部２が景品ベース３に一体的に備えられている状態では、上述したようにリーダ／ライタ装置により情報記録部４から流通管理情報を読み出すことができるようになっている。
【００５２】
ところで、本実施形態の分離型景品１では、商品部２が景品ベース３に一体的に備えられているため、商品部２からディジタルコンテンツを読み出すには、商品部２を景品ベース３から切り離す必要がある。ここで、商品部２のＩＣチップがタグ４１の機能を有しているので、商品部２を景品ベース３から切り離した際には、情報記録部４からタグ４１が分離された状態、つまり、情報記録部４が破損した状態となるから、情報記録部４はリーダ／ライタ装置と通信することができなくなる（つまり、流通管理情報を読み出すことができない）。
【００５３】
また、商品部２が景品ベース３に対する所定位置に位置する（商品部２を景品ベース３から切り離す前の状態となる）ように商品部２を景品ベース３に取り付けたとしても、商品部２とともに切り離されたアンテナ線４０ａの一部と、景品ベース３側のアンテナ線４０ａとは接合されないので、情報記録部４が破損した状態であることには代わりがなく、リーダ／ライタ装置により情報記録部４から流通管理情報を読み出すことができない。
【００５４】
つまり、商品部２を景品ベース３から切り離すと、商品部２を元に戻したとしても、リーダ／ライタ装置により情報記録部４から流通管理情報を読み出すことはできない。
【００５５】
したがって、実施形態１と同様に、リーダ／ライタ装置により分離型景品１から流通管理情報を読み出すことができるか否かによって、商品部２が使用されたか否かを判別することができる。そして、景品交換所では、商品部２が未使用の分離型景品１については交換に応じればよく、商品部２が使用済みの分離型景品１については交換を拒否すればよい。
【００５６】
以上述べたように本実施形態の分離型景品１は、ディジタルコンテンツを記録する記録媒体からなる商品部２を景品ベース３に取り外し可能に備えるとともに、タグ４１及び送受信用のアンテナ４０により構成され商品部２の流通管理情報を記録する情報記録部４を景品ベース３に備えており、商品部２を使用可能とする操作を行う過程において、商品部２を景品ベース３から取り外したときに（商品部２の取り外し時に）、アンテナ４０からタグ４１となる商品部２が分離されることによって、流通管理情報を読み出し不可能に情報記録部４の一部であるタグ４１を使用不可とする。
【００５７】
したがって、本実施形態の分離型景品１によれば、実施形態１と同様の効果が得ることができる上に、構成部品が減るから、製造工程が簡単になる。
【００５８】
（実施形態３）
本実施形態の分離型景品１は、図３（ａ），（ｂ）に示すように、商品部２及び景品ベース３の構成が実施形態１と異なっており、その他の構成は実施形態１と同様であるから、同様の構成については同一の符号を付して説明を省略する。
【００５９】
本実施形態における景品ベース３は、商品部２のＩＣチップの代わりに、ディジタルコンテンツが記録される（書き込まれる）半導体メモリ（図示せず）が埋設されている点が実施形態１と異なっており、当該半導体メモリが埋設された景品ベース３の部位により商品部２を形成している。
【００６０】
本実施形態における商品部２は、景品ベース３の一部分に前記半導体メモリを埋設してなるメモリカードからなる記憶媒体であって、図３（ａ）に示すように、厚み方向の一面側（前記一部における分離型景品１の厚み方向の一面側であって、図３（ａ）における紙面手前側）に、端子部２ａが露設されている。端子部２ａは、前記半導体メモリにディジタルコンテンツを書き込むための情報入力端子や前記半導体メモリからディジタルコンテンツを読み出すための情報出力端子等を有したものであり、例えば、ミニＳＤメモリカードの規格に準じた形に形成されている。また、商品部２は、ミニＳＤメモリカードと同サイズの矩形板状に形成され、これによって、ミニＳＤメモリカードに対応するカードスロット等を備えた読み取り装置（図示せず）によりディジタルコンテンツを読み出すことができるようになっている。
【００６１】
以上述べた分離型景品１は、実施形態１と同様に、商品部２が景品ベース３に一体的に備えられている状態では、リーダ／ライタ装置により情報記録部４から流通管理情報を読み出すことができ、商品部２からディジタルコンテンツを読み出すために商品部２を景品ベース３から切り離すと、アンテナ線４０ａが破損するので、商品部２を元に戻したとしても、リーダ／ライタ装置により情報記録部４から流通管理情報を読み出すことができなくなる。
【００６２】
したがって、リーダ／ライタ装置により分離型景品１から流通管理情報を読み出すことができるか否かによって、商品部２が使用されたか否かを判別することができる。
【００６３】
以上述べたように本実施形態の分離型景品１は、ディジタルコンテンツを記録する記録媒体からなる商品部２を景品ベース３に取り外し可能に備えるとともに、タグ４１及び送受信用のアンテナ４０により構成され商品部２の流通管理情報を記録する情報記録部４を景品ベース３に備えており、商品部２を使用可能とする操作を行う過程において、商品部２を景品ベース３から取り外したときに（商品部２の取り外し時に）、アンテナ４０の一部が切断されることによって、流通管理情報を読み出し不可能に情報記録部４の一部であるアンテナ４０を使用不可とする。
【００６４】
したがって、本実施形態の分離型景品１によれば、実施形態１と同様の効果が得られる。
【００６５】
（実施形態４）
本実施形態の分離型景品１は、商品部２、景品ベース３、及び情報記録部４の構成が実施形態３と異なっており、その他の構成は実施形態３と同様であるから、同様の構成については同一の符合を付して説明を省略する。
【００６６】
本実施形態における景品ベース３は、図３（ａ）に示す実施形態３のように、タグ４１を景品ベース３における商品部２以外の部位に埋設したものではなく、図４に示すように、タグ４１を商品部２に埋設している。
【００６７】
つまり、本実施形態における商品部２は、タグ４１を備えている。また、本実施形態における商品部２の端子部２ａには、アンテナ４０と商品部２に埋設されたタグ４１との電気的接続に用いるアンテナ端子（図示せず）を新たに設けている（但し、ミニＳＤメモリカードの端子には予備の端子が２つあるため、この端子をアンテナ端子に利用してもよい）。
【００６８】
本実施形態における情報記録部４のアンテナ線４０ａは、景品ベース３の上記一面に、景品ベース３の外縁部に沿って周回するとともに、商品部２の端子部２ａの上記アンテナ端子上を通過する形で、商品部２を横切るように形成され、これによって、商品部２のＩタグ４１がアンテナ４０に電気的に接続されて、タグ４１とアンテナ４０によって、情報記録部４が構成されている。
【００６９】
以上述べた分離型景品１は、実施形態２と同様に、商品部２が景品ベース３に一体的に備えられている状態では、リーダ／ライタ装置により情報記録部４から流通管理情報を読み出すことができ、商品部２からディジタルコンテンツを読み出すために商品部２を景品ベース３から切り離すと、アンテナ４０からタグ４１が分離されるので、商品部２を元に戻したとしても、リーダ／ライタ装置により情報記録部４から流通管理情報を読み出すことができなくなる。
【００７０】
したがって、リーダ／ライタ装置により分離型景品１から流通管理情報を読み出すことができるか否かによって、商品部２が使用されたか否かを判別することができる。
【００７１】
以上述べたように本実施形態の分離型景品１は、ディジタルコンテンツを記録する記録媒体からなる商品部２を景品ベース３に取り外し可能に備えるとともに、タグ４１及び送受信用のアンテナ４０により構成され商品部２の流通管理情報を記録する情報記録部４を景品ベース３に備えており、商品部２を使用可能とする操作を行う過程において、商品部２を景品ベース３から取り外したときに（商品部２の取り外し時に）、アンテナ４０からタグ４１が分離されることによって、流通管理情報を読み出し不可能に情報記録部４の一部であるタグ４１を使用不可とする。
【００７２】
したがって、本実施形態の分離型景品１によれば、実施形態２と同様の効果が得ることができる。
【００７３】
なお、本実施形態における商品部２は、ミニＳＤメモリカードの規格に準じた形に形成されているが、例えば、ＳＤメモリカードや、マイクロＳＤメモリカード、マルチメディアカード（ＭＭＣ）などその他のメモリカード（一般に広く利用さている汎用のメモリカードのほうが好ましい）の規格に準じた形に形成されていてもよい。要するに商品部２は、ディジタルコンテンツを記録する記録媒体であればよく、どのような記録媒体を利用するかは状況に応じて選択すればよい。
【００７４】
（実施形態５）
本実施形態の分離型景品１は、図５（ａ）〜（ｃ）に示すように、商品部２、景品ベース３、及びリライト層５の構成が実施形態１と異なっている。なお、その他の構成は実施形態１と同様であるから、同様の構成については同一の符号を付して説明を省略する。
【００７５】
本実施形態における商品部２は、ディジタルコンテンツが記録される（書き込まれる）半導体メモリを有し景品ベース３に埋設されたＩＣチップ（図示せず）と、図５（ｃ）に示すように、厚み方向の一面側（前記一部における分離型景品１の厚み方向の一面側であって、図５（ｃ）における紙面手前側）に露設された端子部２ａとを備えている。本実施形態における端子部２ａは、前記ＩＣチップにディジタルコンテンツを書き込むための情報入力端子や前記ＩＣチップからディジタルコンテンツを読み出すための情報出力端子等を有したものであり、例えば、クレジットカードサイズの接触型ＩＣカードの規格に準じた形に形成されている。
【００７６】
本実施形態における景品ベース３は、分離用孔部３ａが形成されていない点で実施形態１と異なっている。つまり、本実施形態の分離型景品１では、商品部２は、景品ベース３から切り離さずに一体となった状態で、ディジタルコンテンツの読み出しが行えるようになっている。
【００７７】
本実施形態におけるリライト層５は、図５（ａ）〜（ｃ）に示すように、景品ベース３の上記一面に商品部２及びアンテナ４０の両方を覆う形に接着されており、商品部２を覆うリライト層５の矩形状の部位が被蔽部材５ａとなっている。ここで、リライト層５は、被蔽部材５ａを景品ベース３から剥離した（取り外した）ときに、アンテナ４０（アンテナ線４０ａ）の一部が被蔽部材５ａとともに景品ベース３から剥離するように、アンテナ４０の景品ベース３に対する接着強度よりも強い接着強度でアンテナ４０に接着されている。また、リライト層５には、リライト層５を厚み方向に貫通する貫通孔５ｂが被蔽部材５ａを囲う形に複数設けられている。つまり、複数の貫通孔５ｂがリライト層５からの被蔽部材５ａの切り離しを容易にするためのミシン目を構成している。なお、被蔽部材５ａを景品ベース３から剥離し易くするにあたっては、他のリライト層５の部位よりも弱い接着強度で被蔽部材５を接着してもよい。
【００７８】
以上述べた分離型景品１は、図５（ａ）に示すように、被蔽部材５ａが景品ベース３から剥離されていない状態では、リーダ／ライタ装置により情報記録部４から流通管理情報を読み出すことができるようになっている。
【００７９】
ところで、本実施形態の分離型景品１では、商品部２が被蔽部材５ａで覆われており、この状態では商品部２を使用する（商品部２からディジタルコンテンツを読み出す）ことができないため、商品部２を使用可能とする操作、すなわち被蔽部材５ａを景品ベース３から取り外す（剥離する）操作を行う必要がある。ここで、アンテナ線４０ａは、景品ベース３の上記一面に商品部２を横切る形に形成されるとともに、被蔽部材５ａは、アンテナ４０の景品ベース３に対する接着強度よりも強い接着強度でアンテナ４０に接着されているので、被蔽部材５ａを景品ベース３から剥離した際には、アンテナ線４０ａの一部が被蔽部材５ａとともに景品ベース３から剥離されて、アンテナ線４０ａが断線した（切断された）状態となる、つまり、情報記録部４が破損した状態となるから、情報記録部４はリーダ／ライタ装置と通信することができなくなる（つまり、流通管理情報を読み出すことができない）。
【００８０】
また、被蔽部材５が景品ベース３に対する所定位置に位置する（被蔽部材５を景品ベース３から剥離する前の状態となる）ように被蔽部材５を景品ベース３に取り付けたとしても、被蔽部材５とともに切り離されたアンテナ線４０ａの一部と、景品ベース３側のアンテナ線４０ａとは接合されないので、情報記録部４が破損した状態であることには代わりがなく、リーダ／ライタ装置により情報記録部４から流通管理情報を読み出すことができない。
【００８１】
つまり、被蔽部材５ａを景品ベース３から切り離すと、被蔽部材５ａを元に戻したとしても、リーダ／ライタ装置により情報記録部４から流通管理情報を読み出すことはできない。
【００８２】
したがって、本実施形態の分離型景品１においても、実施形態１と同様に、リーダ／ライタ装置により分離型景品１から流通管理情報を読み出すことができるか否かによって、商品部２が使用されたか否かを判別することができる。
【００８３】
以上述べたように本実施形態の分離型景品１は、ディジタルコンテンツを記録する記録媒体からなる商品部２を、ディジタルコンテンツ情報読み出し不可とする被蔽部材５ａにより被蔽した状態で景品ベース３に備えるとともに、景品ベース３に商品部２の流通管理情報を記録する情報記録部４を備えており、商品部２を使用可能とする操作を行う過程において、被蔽部材５ａを取り外す操作を行ったときに（被蔽部材５ａを取り外してディジタルコンテンツ情報読み出し可能状態とした際に）、流通管理情報を読み出し不可能に情報記録部４の一部（本実施形態ではアンテナ４０）が使用不可になる。
【００８４】
したがって、本実施形態の分離型景品１によれば、実施形態１と同様の効果が得られる。その上、実施形態１のように商品部２を景品ベース３から取り外す場合に比べれば、被蔽部材５ａの景品ベース３からの取り外しは容易に行え、商品部２からディジタルコンテンツを読み出す作業が簡単になる。
【００８５】
なお、本実施形態における商品部２の端子部２ａ及び景品ベース３は、クレジットカードの規格に準じた形に形成されているが、これらは実施形態１で述べたようなＳＩＭカード等のＩＣカードや、実施形態３で述べたようなミニＳＤメモリカード等のメモリカードの規格に準じた形に形成してもよい。
【００８６】
（実施形態６）
本実施形態の分離型景品１は、商品部２、景品ベース３、及び情報記録部４の構成が実施形態５と異なっており、その他の構成は実施形態５と同様であるから、同様の構成については同一の符合を付して説明を省略する。
【００８７】
本実施形態における商品部２のＩＣチップは、タグ４１のＩＣチップの機能も有している。そのため、本実施形態における景品ベース３には、図６に示すように、タグ４１が埋設されていない。また、商品部２の端子部２ａには、アンテナ４との接続用のアンテナ端子（図示せず）が新たに設けられている。
【００８８】
本実施形態における情報記録部４のアンテナ線４０ａは、景品ベース３の上記一面に、景品ベース３の外縁部に沿って周回するとともに、商品部２の端子部２ａの上記アンテナ端子上を通過する形で、商品部２を横切るように形成され、これによって、商品部２のＩＣチップがアンテナ４０に電気的に接続されて、当該ＩＣチップとアンテナ４０によって、情報記録部４が構成されている。
【００８９】
以上述べた分離型景品１は、実施形態５と同様に、被蔽部材５ａが景品ベース３から剥離されていない状態では、リーダ／ライタ装置により情報記録部４から流通管理情報を読み出すことができ、被蔽部材５ａを景品ベース３から剥離すると、アンテナ線４０ａにおいて端子部２ａと接触する部位が被蔽部材５ａとともに除去されるので、アンテナ線４０ａと、タグ４１のＩＣチップの機能を有する商品部２のＩＣチップとが分離され、被蔽部材５ａを元に戻したとしても、リーダ／ライタ装置により情報記録部４から流通管理情報を読み出すことができなくなる。
【００９０】
したがって、本実施形態の分離型景品１においても、実施形態５と同様に、リーダ／ライタ装置により分離型景品１から流通管理情報を読み出すことができるか否かによって、商品部２が使用されたか否かを判別することができる。
【００９１】
以上述べたように本実施形態の分離型景品１は、ディジタルコンテンツを記録する記録媒体からなる商品部２を、ディジタルコンテンツ情報読み出し不可とする被蔽部材５ａにより被蔽した状態で景品ベース３に備えるとともに、景品ベース３に商品部２の流通管理情報を記録する情報記録部４を備えており、商品部２を使用可能とする操作を行う過程において、被蔽部材５ａを取り外す操作を行ったときに（被蔽部材５ａを取り外してディジタルコンテンツ情報読み出し可能状態とした際に）、流通管理情報を読み出し不可能に情報記録部４の一部（本実施形態ではアンテナ４０）が使用不可になる。
【００９２】
したがって、本実施形態の分離型景品１によれば、実施形態５と同様の効果が得られる。その上、構成部品が減るから、製造工程が簡単になる。
【００９３】
（実施形態７）
本実施形態の分離型景品１は、情報記録部４がアンテナ４０を備える代わりに、接続端子４３を備えている点で実施形態１と異なっており、その他の構成は実施形態１と同様であるから、同様の構成については同一の符合を付して説明を省略する。
【００９４】
本実施形態における情報記録部４の接続端子４３は、リーダ／ライタ装置等の端子（図示せず）と電気的に接続されて、タグ４１への流通管理情報の書き込み、又はタグ４１からの流通管理情報の読み出しを行うためのものである。
【００９５】
つまり、本実施形態における情報記録部４は、実施形態１〜６のような非接触で半導体メモリのデータの読み出し又は書き込みが行えるＲＦＩＤタグではなく、リーダ／ライタ装置等の端子と電気的に接続されることで、半導体メモリのデータを読み出し又は書き込みが行える接触型ＩＣカードを構成するものである。
【００９６】
接続端子４３は、図７に示すように、景品ベース３の上記一面側の縁部に露設され、配線部４２によってタグ４１と電気的に接続されている。ここで、配線部４２は、例えば、導電性インク等により、景品ベース３の上記一面に商品部２を横切る形に形成されている。
【００９７】
以上述べた分離型景品１は、図７に示すように、商品部２が景品ベース３に一体的に備えられている状態では、上述したようにリーダ／ライタ装置により情報記録部４から流通管理情報を読み出すことができるようになっている。
【００９８】
ところで、本実施形態の分離型景品１では、商品部２が景品ベース３に一体的に備えられているため、商品部２からディジタルコンテンツを読み出すには、商品部２を景品ベース３から切り離す必要がある。ここで、配線部４２は図７に示すように景品ベース３の上記一面に商品部２を横切る形に形成されているので、商品部２を景品ベース３から切り離した際には、配線部４２の一部が商品部２とともに切り離されて、配線部４２が断線した（切断された）状態となって接続単位４３とタグ４１とが電気的に接続されなくなる、つまり、情報記録部４が破損した状態となるから、情報記録部４はリーダ／ライタ装置と通信することができなくなる（つまり、流通管理情報を読み出すことができない）。
【００９９】
また、商品部２が景品ベース３に対する所定位置に位置する（商品部２を景品ベース３から切り離す前の状態となる）ように商品部２を景品ベース３に取り付けたとしても、商品部２とともに切り離された配線部４２の一部と、景品ベース３側に残った配線部４２とは接合されないので、情報記録部４が破損した状態であることには代わりがなく、リーダ／ライタ装置により情報記録部４から流通管理情報を読み出すことができない。
【０１００】
つまり、商品部２を景品ベース３から切り離すと、商品部２を元に戻したとしても、リーダ／ライタ装置により情報記録部４から流通管理情報を読み出すことはできない。
【０１０１】
したがって、本実施形態の分離型景品１においても、実施形態１と同様に、リーダ／ライタ装置により分離型景品１から流通管理情報を読み出すことができるか否かによって、商品部２が使用されたか否かを判別することができる。
【０１０２】
以上述べたように本実施形態の分離型景品１は、ディジタルコンテンツを記録する記録媒体からなる商品部２を景品ベース３に取り外し可能に備えるとともに、景品ベース３に商品部２の流通管理情報を記録する情報記録部４を備えており、商品部２を使用可能とする操作を行う過程において、商品部２を景品ベース３から取り外したときに（商品部２の取り外し時に）、アンテナ４０の一部が切断されることによって、流通管理情報を読み出し不可能に情報記録部４の一部（本実施形態では配線部４２）が使用不可になる。
【０１０３】
したがって、本実施形態の分離型景品１によれば、実施形態１と同様の効果が得られる。
【０１０４】
（実施形態８）
本実施形態の分離型景品１は、図８及び図９に示すように、商品部２と、厚み方向の一面側（図８における上面側）に商品部２が取り付け可能且つ取り外し可能（着脱自在）に収納される収納部（以下、「第１収納部」と称する）３ｂが設けられた景品ベース３と、商品部２における景品ベース３側とは反対側（図８における上面側）に商品部２を覆う形に設けられた情報記録部４と、景品ベース３の前記一面側に情報記録部４を覆うとともに景品ベース３から取り外し可能な形で設けられたリライト層５とを備えている。
【０１０５】
本実施形態における商品部２は、メモリカード（本実施形態ではマイクロＳＤメモリカード）からなる記憶媒体であって、厚み方向の他面側（図８における下面側）に、図１３（ｃ）に示すように、ディジタルコンテンツの書き込み又は読み出しを行うための端子部２ａ（図示例では９つ）を備えている。
【０１０６】
本実施形態における情報記録部４は、図１０に示すように、タグ４１及びアンテナ４０からなる回路部と、当該回路部が厚み方向の他面側（図８における下面側）に接着された基板４４とにより構成されている。基板４４は、例えば絶縁性材料により円盤状に形成され、景品ベース３の第１収納部３ｂに収納された商品部２と厚み方向重なる部位からなり商品部２を景品ベース３から取り外す際に除去される除去部４４ａを有している。除去部４４ａにおける厚み方向の他面側には、タグ４１が設けられ、除去部４４ａを除く基板４４の部位における厚み方向の他面側には、アンテナ４０のアンテナ線４０ａが基板４４の外縁部に沿って周回する形に形成されている。また、基板４４の厚み方向の他面側には、除去部４４ａ及び除去部４４ａを除く基板４４の部位の両方に亘る形に接続線４０ｂが形成され、接続線４０ｂによってタグ４１とアンテナ４０のアンテナ線４０ａとが電気的に接続されている。
【０１０７】
また、基板４４には、基板４４を厚み方向に貫通する貫通孔４４ｂが除去部４４ａを囲う形に複数設けられている。つまり、複数の貫通孔４４ｂが基板４４からの除去部４４ａの切り離しを容易にするためのミシン目を構成している。なお、タグ４１及びアンテナ４０の機能については実施形態１と同様であるから説明を省略する。また、アンテナ４０のアンテナ線４０ａ及び接続線４０ｂそれぞれは、例えば導電性インク（導電性インキ、導電インクともいう）により形成されている。
【０１０８】
本実施形態におけるリライト層５は、景品ベース３の外形サイズよりやや小さいサイズの矩形状に形成され、厚み方向において商品部２と重なる部位には、商品部２を景品ベース３から取り外す際に景品ベース３から取り外される（剥離される）剥離部５ｃが設けられている。また、リライト層５には、リライト層５を厚み方向に貫通する貫通孔５ｄが剥離部５ｃを囲う形に複数設けられている。つまり、複数の貫通孔５ｄがリライト層５からの剥離部５ｃの切り離しを容易にするためのミシン目を構成している。
【０１０９】
本実施形態における景品ベース３は、合成樹脂により、例えばクレジットカードサイズ（本実施形態では、約８４ｍｍ×約５６ｍｍ）の矩形板状に形成されている。この景品ベース３の前記一面側には、情報記録部４が収納される収納部（以下、「第２収納部」と称する）３ｃが形成されている。第２収納部３ｃは、厚み方向に直交する面内における開口形状が情報記録部４の基板４４の外形サイズよりやや大きいサイズの円形状に形成されている。また第２収納部３ｃの深さ寸法は情報記録部４の厚み寸法よりも大きく設定されている。第２収納部３ｃの底面には、商品部２が嵌り込む形の上記第１収納部３ｂが形成されている。第１収納部３ｂの底面には、商品部２の端子部２ａを景品ベース３の厚み方向の他面側（図８における下面側）に臨ませる窓孔３ｄが形成されている。
【０１１０】
次に、本実施形態の分離型景品１の組立方法について説明する。まず、商品部２を、景品ベース３の第１収納部に、端子部２ａが窓孔３ｄから露出する形で収納する。その後には、情報記録部４を、景品ベース３の第２収納部３ｃに収納するのであるが、情報記録部４を収納する前には、図９（ａ）に示すように、第２収納部３ｄの底面に、接着部材（以下、「第１接着部材」と称する）６を配置するとともに、商品部２の厚み方向の一面側に、接着部材（以下、「第２接着部材」）７を配置する。
【０１１１】
ここで、第１接着部材６は両面テープ等により円環状に形成されており、外径は基板４４の直径より小さく設定され、内径は内側に第１収納部３ｂを配置できるような大きさに設定されている。第２接着部材７は、外形サイズが商品部２よりも小さい矩形板状に形成されており、厚み方向の他面側（図８における下面側）が商品部２の厚み方向の一面側（図８における上面側）に接着され、厚み方向の一面側が情報記録部４のタグ４１及びアンテナ４０の接続線４０ｂを含む除去部４４ａにおける厚み方向の他面側（図８における下面側）に接着される。ここで、第２接着部材７は、商品部２が、基板４４から剥離されると情報記録部４が使用不可となる回路部の一部、例えば、除去された際に接続線４０ｂを断線させる接続線４０ｂの一部４０ｃ（図１０参照）に、当該一部４０ｃと基板４４との接着強度よりも強い接着強度で接着されるような接着材料を用いている。
【０１１２】
情報記録部４は、図１２に示すように、基板４４における除去部４４ｂ以外の部位の厚み方向の他面側（図１２における下面側）が、第１接着部材６によって景品ベース３の第２収納部３ｄの底面に接着されるとともに、基板４４の厚み方向の他面側（図１２における下面側）が、第２接着部材７によって景品ベース３の第１収納部３ｂに収納された商品部２に接着され、商品部２は、情報記録部４によって景品ベース３に固定されている。また、情報記録部４を第２収納部３ｃに収納した状態では、情報記録部４は、商品部２における景品ベース３側とは反対側に商品部２を覆っており（第１収納部３ｂを覆っており）、商品部２を景品ベース３から取り出すためには、除去部４４ａを除去する必要がある。なお、図１２ではアンテナ線４０ａを省略している。
【０１１３】
情報記録部４を第２収納部３ｃに収納した後には、景品ベース３の前記一面側に、情報記録部４を覆う形にリライト層５を配置するとともに、リライト層５の厚み方向の他面側に塗布された接着層８によりリライト層５を景品ベース３の前記一面及び情報記録部４の厚み方向の一面（基板４４の厚み方向の一面）それぞれに接着して、図１３（ａ）〜（ｃ）に示す構成の分離型景品１を得る。ここで、接着層８は、リライト層５の剥離部５ｃを剥離する際に、剥離部５ｃとともに除去部４４ａが基板４４から除去されるような接着材料を用いている。
【０１１４】
以上述べた分離型景品１は、図８に示すように、商品部２が景品ベース３の第１収納部３ｂに収納されて、景品ベース３に一体的に備えられている状態では、リーダ／ライタ装置により情報記録部４から流通管理情報を読み出すことができるようになっている。
【０１１５】
ところで、本実施形態の分離型景品１では、商品部２は景品ベース３の第１収納部３ｂに収納されるとともに、情報記録部４の除去部４４ａ及びリライト層５の剥離部５ｃで被蔽されている。そのため、商品部２を使用可能とする操作は、情報記録部４及びリライト層５から商品部２を露出させる操作と、商品部２を景品ベース３の第１収納部３ｂから取り出す操作とを含んでいる。
【０１１６】
そして、情報記録部４及びリライト層５から商品部２を露出させる操作は、リライト層５の剥離部５ｃを景品ベース３より剥離することによって行われ、剥離部５ｃを剥離すれば、剥離部５ｃとともに除去部４４ａが基板４４から除去され、商品部２が露出した状態となって、商品部２を景品ベース３から取り外すことができるようになる。
【０１１７】
このように基板４４の除去部４４ａを除去した場合には、回路部の接続線４０ｂが除去部４４ａ及び除去部４４ａを除く基板４４の部位の両方に亘る形に形成されているために接続線４０ｂが分断され、情報記録部４が使用不可となるから、流通管理情報を読み出すことができなくなる。また、商品部２は接続線４０ｂの一部４０ｃに当該一部４０ｃと基板４４との接着強度よりも強い接着強度で接着されているので、商品部２より除去部４４ａが剥離された際には、アンテナ４０の接続線４０ｂの一部４０ｃが商品部２に第２接着部材７とともに残ることによって、情報記録部４が使用不可（破損した状態）となる。
【０１１８】
つまり、本実施形態の分離型景品１では、景品ベース３には、商品部２が、ディジタルコンテンツ情報読み出し不可とする被蔽部材となる除去部４４ａ及び剥離部５ａにより被蔽した状態で保持され、商品部２を使用可能とする操作を行う過程において、被蔽部材となる除去部４４ａ及び剥離部５ａを取り外したときに、流通管理情報を読み出し不可能に情報記録部４の一部が使用不可になる。
【０１１９】
この場合には、商品部２や除去部４４ａ等を元の位置に戻しても、切断された接続線４０ｂは接合されないので、情報記録部４が破損した状態であることには代わりがなく、リーダ／ライタ装置により情報記録部４から流通管理情報を読み出すことができない。
【０１２０】
本実施形態の分離型景品１は、上述したように除去部４４ａを除去して商品部２を取り出す方法が、商品部２の正規の取り出し方法であるが、景品ベース３における第１収納部３ｂに対応する部位を切断等することで、除去部４４ａを除去せずに、商品部２を景品ベース３から取り出すことが考えられる。
【０１２１】
しかしながら、商品部２を景品ベース３から取り外すには、商品部２を情報記録部４から剥離する必要があり、商品部２を情報記録部４から剥離すると接続線４０ｂの一部４０ｃが商品部２とともに情報記録部４の基板４４から剥離されて情報記録部４が使用不可となるから、流通管理情報を読み出すことができなくなって、正規の取り出し方法以外の方法で商品部２を景品ベース３から取り外した場合であっても、情報記録部４を使用不可とすることができる。
【０１２２】
この場合において、商品部２を元の位置に戻したとしても、接続線４０ｂの一部４０ｃと接続線４０ｂにおける一部４０ｃを除く部位とは接合されないので、情報記録部４が破損した状態であることには代わりがなく、リーダ／ライタ装置により情報記録部４から流通管理情報を読み出すことができない。
【０１２３】
つまり、商品部２を景品ベース３から取り出すと、その取り出し方法が正規の方法であるか否かを問わず、商品部２を元に戻したとしても、リーダ／ライタ装置により情報記録部４から流通管理情報を読み出すことはできなくなる。
【０１２４】
したがって、リーダ／ライタ装置により分離型景品１から流通管理情報を読み出すことができるか否かによって、商品部２が使用されたか否かを判別することができる。
【０１２５】
以上述べた本実施形態の分離型景品１によれば、商品部２にはディジタルコンテンツが記録されているので、景品ベース３から商品部２を取り外すことにより、客が商品部２に記録されているディジタルコンテンツを再生して楽しむことができる。
【０１２６】
その上、商品部２を景品ベース３から取り外すにあたって、基板４４の除去部４４ａを除去した場合には、回路部の接続線４４ａが除去部４４ａ及び除去部４４ａを除く基板４４の部位の両方に亘る形に形成されているために回路部の接続線４４ａが分断され、情報記録部４が使用不可となるから、流通管理情報を読み出すことができなくなり、使用後（使用済み）の分離型景品１の交換（不当な交換）の防止が図れる。
【０１２７】
一方、景品ベース３の一部を切断等して、基板４４の除去部４４ａを除去するという正規の取り出し方法以外の方法で商品部２を景品ベース３から取り外そうとしても、商品部２を景品ベース３から取り外すには、商品部２を情報記録部４から剥離する必要があり、商品部２を情報記録部４から剥離すると回路部の一部（接続線４０ｂの一部４０ｃ）が商品部２とともに情報記録部４の基板４４から剥離されて情報記録部４が使用不可となるから、流通管理情報を読み出すことができなくなって、正規の取り出し方法以外の方法で商品部２を景品ベース３から取り外した場合であっても、情報記録部４を使用不可とすることができて、使用後の分離型景品１の交換の防止が図れる。
【０１２８】
なお、本実施形態の分離型景品１では、基板４４から剥離されると情報記録部４が使用不可となる前記回路部の一部を、接続線４０ｂの一部４０ｃとしているが、これは、タグ４１であってもよいし、アンテナ線４０ａの一部であってもよいし、また、一部に限らず、接続線４０ｂ全体としてもよいし、アンテナ線４０ａ全体としてもよい。
【０１２９】
（実施形態９）
本実施形態の分離型景品１は、商品部２と、厚み方向の一面側に商品部２が取り付け可能且つ取り外し可能（着脱自在）に収納される第１収納部３ｂが設けられた景品ベース３と、景品ベース３に設けられた情報記録部４と、景品ベース３の前記一面側に商品部２を露出する形に設けられたリライト層５とを備えている。なお、本実施形態における商品部２は実施形態８と同様のものであるから説明を省略する。また、本実施形態における景品ベース３は、第２収納部３ｃを備えていない点で実施形態８と異なっており、その他の構成は実施形態８と同様である。また、本実施形態におけるリライト層５は、剥離部５ｃ及び貫通孔５ｄを備える代わりに、景品ベース３の第１収納部３ｂを露出する開孔部（図示せず）を備えている点で実施形態８と異なっている。
【０１３０】
本実施形態における情報記録部４は、タグ４１と、アンテナ４０と、タグ４１用の電源となる図示しない電池（二次電池）とを備えている。本実施形態における情報記録部４では、タグ４１及び前記電池が景品ベース３に埋設され、アンテナ４０は景品ベース３の前記一面側に実装されている。ここで、アンテナ４０のアンテナ線４０ａは、第１収納部３ｂを通過する（横切る）形で景品ベース３の前記一面側に形成されており、第１収納部３ｂに商品部２が収納された際には、アンテナ線４０ａと商品部２とが接触するようになっている。これによって、アンテナ線４０ａのインピーダンスが、第１収納部３ｂに商品部２が収納されているときと、収納されていないときとで、変化するようにしている。つまり、アンテナ線４０ａが、商品部２が景品ベース３の第１収納部３ｂに収納されているか否かを検出するための検出手段を構成している。
【０１３１】
本実施形態におけるタグ４１は、前記書き込み手段及び前記読み出し手段に加えて、アンテナ線４０ａのインピーダンスを検出して所定の閾値と比較することで第１収納部３ｂに商品部２が収納されているか否か（商品部２が景品ベース３に取り付けられているか否か）を判別する判別手段と、タグ４１の動作モード（情報記録部４の動作モード）を流通管理情報の読み出しを許可する第１の動作モード（アンロックモード）と流通管理情報の読み出しを許可しない第２の動作モード（ロックモード）とのいずれかに切り替える動作モード切り替え手段（セキュリティコントロール手段）とを有している。なお、判別手段及び動作モード切り替え手段は、ソフトウェア等により実現されている。
【０１３２】
動作モード切り替え手段は、判別手段によって第１収納部３ｂに商品部２が収納されていると判別されている間は、動作モードを第１の動作モードに設定する。また、動作モード切り替え手段は、判別手段によって第１収納部３ｂに商品部２が収納されていないと判別されると、動作モードを第１の動作モードから第２の動作モードに切り替え、第２の動作モードに設定されると、判別手段によって第１収納部３ｂに商品部２が収納されていると判別されても動作モードを切り替えないようになっている。
【０１３３】
したがって、本実施形態における情報記録部４では、商品部２が景品ベース３から取り外されたと判別されるまでは、流通管理情報の読み出しが行え、商品部２が景品ベース３から取り外されたと判別された後は、流通管理情報の読み出しが行えないようになっている。つまり、商品部２が景品ベース３から取り外されたか否かによって、商品部２が使用されたか否かを判別しており、具体的には、商品部２が一度も景品ベース３から取り外されていなければ、その商品部２は未使用であって、商品部２が一度でも景品ベース３から取り外されれば、その商品部２は使用済みであると判別している。
【０１３４】
ところで、動作モード切り替え手段は、上述したように、第２の動作モードに設定されると、判別手段によって第１収納部３ｂに商品部２が収納されていると判別されても動作モードを切り替えないように構成されているが、判別手段によって第１収納部３ｂに商品部２が収納されていると判別されている状態で、外部装置（例えば、情報記録部４より流通管理情報の読み出し等を行うための前記リーダ／ライタ装置）のリセット信号等の特別なコマンド情報を有する信号が情報記録部４に入力された場合には、動作モードを第２の動作モードから第１の動作モードに切り替えるように構成されている。したがって、商品部２を景品ベース３に戻した後に、外部装置のリセット信号を情報記録部４に入力して、情報記録部４の動作モードを第１の動作モードに切り替えることによって、分離型景品１の再生処理（商品部２を未使用であると判別している状態に戻す作業）が行える。
【０１３５】
以上述べた分離型景品１は、商品部２が景品ベース３に一体的に備えられている状態では、第１の動作モードに設定されているため、リーダ／ライタ装置により情報記録部４から流通管理情報を読み出すことができるようになっている。
【０１３６】
ここで、商品部２からディジタルコンテンツを読み出すために、商品部２を景品ベース３の第１収納部３ｂより取り出すと、判別手段は第１収納部３ｂに商品部２が収納されていないと判別し、これに伴って動作モード切り替え手段は、動作モードを第１の動作モードから第２の動作モードに切り替え、これによって、情報記録部４が使用不可となって、流通管理情報を読み出すことができなくなる。
【０１３７】
そして、動作モードが第２の動作モードに切り替えられた後には、動作モード切り替え手段は、判別手段によって第１収納部３ｂに商品部２が収納されていると判別されても動作モードを切り替えないようになっているため、取り出した商品部２を景品ベース３の第１収納部３ｂに戻しても、情報記録部４より流通管理情報を読み出すことはできない。
【０１３８】
したがって、本実施形態の分離型景品１においても、実施形態８と同様に、リーダ／ライタ装置により分離型景品１から流通管理情報を読み出すことができるか否かによって、商品部２が使用されたか否かを判別することができる。
【０１３９】
以上述べた本実施形態の分離型景品１によれば、商品部２にはディジタルコンテンツが記録されているので、景品ベース３から商品部２を取り外すことにより、客が商品部２に記録されているディジタルコンテンツを再生して楽しむことができる。また、客が商品部２を景品ベース３から取り外すと、情報記録部４の流通管理情報の読み出しが不可能になるので、一旦景品ベース３から取り外した商品部２を景品ベース３に戻した（取り付けた）分離型景品１を景品交換所において商品等と交換しようとしても、景品交換所では、流通管理情報の読み出しが行えるか否かによって、分離型景品１の商品部２が使用されたか否かを判別できるから、使用後（使用済み）の分離型景品の交換（不当な交換）を防止することができ、信頼性を高めることができる。さらに、情報記録部４の流通管理情報によって、偽造景品や、景品流通の管理等も行うことができる。
【０１４０】
また、商品部２を景品ベース３から取り外す際に、情報記録部４のアンテナ４０を断線させたり、アンテナ４０とタグ４１とを分離させたりすることで、情報記録部４を破損させて、情報記録部４を物理的に使用不可能としていた実施形態１〜８とは異なり、情報記録部４を物理的に使用不可能としなくて済むから、分離型景品の再利用が容易に行えるようになる。さらに、外部装置のリセット信号を情報記録部４に入力することで、分離型景品の再生処理を行えるから、再生処理のさらなる容易化が図れる。
【図面の簡単な説明】
【０１４１】
【図１】実施形態１の分離型景品を示し、（ａ）は商品未使用状態における前面図、（ｂ）は商品未使用状態における側面図である。
【図２】実施形態２の分離型景品の商品未使用状態における前面図である。
【図３】実施形態３の分離型景品を示し、（ａ）は商品未使用状態における前面図、（ｂ）は商品未使用状態における側面図である。
【図４】実施形態４の分離型景品の商品未使用状態における前面図である。
【図５】実施形態５の分離型景品を示し、（ａ）は商品未使用状態における前面図、（ｂ）は商品未使用状態における側面図、（ｃ）は商品使用済み状態における前面図である。
【図６】実施形態６の分離型景品を示し、（ａ）は商品未使用状態における前面図、（ｂ）は商品未使用状態における側面図、（ｃ）は商品使用済み状態における前面図である。
【図７】実施形態７の分離型景品の商品未使用状態における前面図である。
【図８】実施形態８の分離型景品の部分断面図である。
【図９】同上の分離型景品の分解斜視図である。
【図１０】同上における情報記録部の平面図である。
【図１１】同上の分離型景品におけるカバー及び情報記録部の配置前の前面図である。
【図１２】同上の分離型景品における概略断面図である。
【図１３】同上の分離型景品を示し、（ａ）は前面図、（ｂ）は側面図、（ｃ）は後面図である。
【符号の説明】
【０１４２】
１    分離型景品
２    商品部
３    景品ベース
４    情報記録部
５ａ  被蔽部材
４０    アンテナ
４０ａ  アンテナ線
４０ｃ  一部（回路部の一部）
４１    タグ
４４    基板
４４ａ  除去部
【図１】
2008114040.tif 000003
【図２】
2008114040.tif 000004
【図３】
2008114040.tif 000005
【図４】
2008114040.tif 000006
【図５】
2008114040.tif 000007
【図６】
2008114040.tif 000008
【図７】
2008114040.tif 000009
【図８】
2008114040.tif 000010
【図９】
2008114040.tif 000011
【図１０】
2008114040.tif 000012
【図１１】
2008114040.tif 000013
【図１２】
2008114040.tif 000014
【図１３】
2008114040.tif 000015